(57)【要約】【課題】手摺りと天井部との間の開口部を必要な時に必要な部分のみを遮蔽できるようにして、プライバシーを十分に保護できると共に、西日などの日差しを有効に遮断できるベランダの遮蔽装置を提供する。【解決手段】ベランダの手摺り１，２の内側面の下部側と上部側とにガイドレール１１，１２を設け、手摺り１，２と天井部４ｂとの間の開口部１０を部分的に遮蔽するルーバー面格子などの遮蔽手段１３を備えた可動枠体１４を設け、可動枠体１４には、手摺り１，２側の上下両ガイドレール１１，１２に嵌合支持される駒片１５を、下部側とその上部側とに夫々２つずつ設け、これらの駒片１５を介して可動枠体１４を上下両ガイドレール１１，１２に沿って移動自在とする。【選択図】図１
2010071032.tif 000002
【特許請求の範囲】
【請求項１】
建物のベランダの手摺りに設けられる遮蔽装置であって、  
手摺りの内側面の下部側と上部側とにガイドレールを並設する一方、手摺りと天井部との間の開口部を部分的に遮蔽するルーバー面格子等の遮蔽手段を備えた可動枠体を一つ又は複数設け、可動枠体には、手摺り側の上下両ガイドレールに対し夫々転動自在又は摺動自在に嵌合支持される駒片を、下部側とその上部側とに夫々少なくとも２つずつ設け、これらの駒片を介して可動枠体を上下両ガイドレールに沿って移動自在としてなるベランダの遮蔽装置。
【請求項２】
可動枠体は、左右２本の立枠からなるもので、両立枠間の上部側に遮蔽手段を装備し、各立枠の下端部とその上方所要部とに駒片を取り付けてなる請求項１に記載のベランダの遮蔽装置。
【発明の詳細な説明】
【技術分野】
【０００１】
本発明は、マンション、アパート等の建物のベランダの手摺りに設置される遮蔽装置に関する。なお、ベランダは、建物の外廊下も含むものとする。
【背景技術】
【０００２】
マンションやアパートなどの複数階からなる建物にはベランダ（外廊下を含む）を有するものがほとんどであり、このベランダには屋外側にコンクリートタイプやアルミ等金属柵タイプの手摺りが設けられ、この手摺りと天井部との間に開口部が形成されている。
【発明の開示】
【発明が解決しようとする課題】
【０００３】
上記のようにベランダでは手摺りと天井部との間に開口部が形成されていることから、外部からは他人の視野に入ってしまい、プライバシーを確保し難いとい問題があり、また西向きのベランダでは、午後になると、西日の照りつけが厳しく、夏場はかなり暑くなるという問題がある。
【０００４】
本発明は、上記の事情に鑑み、ベランダの手摺りに設置して、手摺りと天井部との間の開口部を必要な時に必要な部分のみを遮蔽できるようにし、もってプライバシーを十分に保護できると共に、西日などの日差しを有効に遮断できるベランダの遮蔽装置を提供することを目的とする。
【課題を解決するための手段】
【０００５】
上記課題を解決するための手段を、後述する実施形態の参照符号を付して説明すると、請求項１に係る発明は、建物のベランダの手摺り１，２に設けられる遮蔽装置であって、  手摺り１，２の内側面の下部側と上部側とにガイドレール１１，１２を並設する一方、手摺り１，２と天井部４ｂとの間の開口部１０を部分的に遮蔽するルーバー面格子等の遮蔽手段１３を備えた可動枠体１４を一つ又は複数設け、可動枠体１４には、手摺り１，２側の上下両ガイドレール１１，１２に対し夫々転動自在又は摺動自在に嵌合支持される駒片１５を、下部側とその上部側とに夫々少なくとも２つずつ設け、これらの駒片１５を介して可動枠体１４を上下両ガイドレール１１，１２に沿って移動自在としてなることを特徴とする。
【０００６】
請求項２は、請求項１に記載のベランダの遮蔽装置において、可動枠体１４は、左右２本の立枠１６，１６からなるもので、両立枠１６，１６間の上部側に遮蔽手段１３を装備し、各立枠１６の下端部とその上方所要部とに駒片１５を取り付けてなることを特徴とする。
【発明の効果】
【０００７】
上記解決手段による発明の効果を、後述する実施形態の参照符号を付して説明すると、請求項１に係る発明の遮蔽装置によれば、ベランダの手摺り１，２の内側面の下部側と上部側とにガイドレール１１，１２を並設し、手摺り１，２と天井部４ｂとの間の開口部１０を部分的に遮蔽する遮蔽手段１３を備えた可動枠体１４を設け、この可動枠体１４に、上下両ガイドレール１１，１２に嵌合支持される駒片１５を、下部側とその上部側とに夫々少なくとも２つずつ設け、これらの駒片１５を介して可動枠体１４を上下両ガイドレール１１，１２に沿って移動自在としたから、必要に応じて可動枠体１４をガイドレール１１，１２に沿って移動させることで、可動枠体１４と共に移動する遮蔽手段１３によって、時間によって変化する日差しを有効に遮断できるし、任意の部屋に対する外部からの視線を有効に遮蔽して、プライバシーを十分に保護できる。
【０００８】
また、マンションやアパートなどのベランダでは、例えば二つの可動枠体１４，１４をベランダの両端側に位置させておいて、この位置で両可動枠体１４，１４をガイドレール１１，１２に施錠することにより、両可動枠体１４，１４に装備した遮蔽手段１３，１３が両隣のベランダとの仕切りであるパーティション３，３に近接状態で固定されるから、隣のベランダからの他人の侵入を防止できる。
【０００９】
請求項２に記載のように、可動枠体１４が左右２本の立枠１６，１６からなるもので、両立枠１６，１６間の上部側に遮蔽手段１３を装備し、各立枠１６の下端部とその上方所要部とに駒片１５を取り付けるようにすれば、可動枠体１４が最小部品点数で形成でき、構造が簡単となって安価に製作できると共に、可動枠体１４をガイドレール１１，１２に沿って安定良く軽快に移動させることができる。
【発明を実施するための最良の形態】
【００１０】
以下に、本発明の好適な一実施形態を図面に基づいて説明すると、図１の(a) は本発明に係る遮蔽装置をベランダに設置した下階側の手摺りと上階側の手摺りとを屋外側から見た状態の正面図、(b) は(a) のＸ−Ｘ線断面図、(c) は(a) のＹ−Ｙ線断面図であり、図２の(a) は遮蔽手段を備えた可動枠体の正面図、(b) は(a) のＺ−Ｚ線断面図であり、図３は図１の(b) の拡大詳細図、図４は図１の(a) の拡大詳細図である。この実施形態では、マンションやアパートなどの複数階からなる集合住宅のベランダの遮蔽装置について説明するが、一戸建住宅についても同様に適用可能である。
【００１１】
図１において、１は各階のベランダの屋外側に設けられた金属柵型手摺り、２はコンクリート型手摺りで、金属柵型手摺り１とコンクリート型手摺り２とは交互に連続するように設けられ、各戸のベランダにおいては、図示のように中央部側に金属柵型手摺り１が形成され、その左右両側にコンクリート型手摺り２が形成されている。３は各階のベランダを各戸ごとに仕切るパーティション（間仕切り）を示す。４はベランダスラブで、上面側が床部４ａを形成し、下面側が天井部４ｂを形成する。
【００１２】
金属柵型手摺り１は、ベランダスラブ４の屋外端部から突出する堰壁部５上に所要間隔おきに立設された複数本の手摺支柱６と、対向する手摺り支柱６，６の下端部間に連結される下枠７と、各手摺り支柱６の上端部をつなぐ断面略下向きコ字状の上枠８と、下枠７と上枠８との間に一定間隔で介装された手摺り子９とにより形成される。図３に示すように、下枠７は、断面下向き略下向きコ字状の下枠本体７ａと、これの底部に嵌合して取り付けられる底枠部７ｂとからなり、上枠８は、手摺り笠木を兼ねた断面下向き略下向きコ字状の上枠本体８ａと、この上枠本体８ａの底面部に嵌合して取り付けられる底枠部８ｂとからなる。
【００１３】
コンクリート型手摺り２は、図１の(c) に示すように、ベランダスラブ４の堰壁部５と一体を成すように形成されたもので、その上端部には、図４から分かるように、金属柵型手摺り１の上枠本体８ａがコンクリート型手摺り２の手摺り笠木として被嵌されている。この上枠本体８ａは、金属柵型手摺り１側から一体又は一体的に延出されたもので、金属柵型手摺り１とコンクリート型手摺り２とに共通の手摺り笠木とされる。
【００１４】
上記のように各階のベランダの屋外側に設けられた金属柵型手摺り１及びコンクリート型手摺り２の内側面（屋内側側面）の下部側と上部側とには、ガイドレール１１，１２が並設されている。即ち、下部側のガイドレール１１は、金属柵型手摺り１の内側面では、図３に示すように下枠７の内側面に沿ってガイドレール１１が水平に取り付け固定され、この下部側ガイドレール１１は、そのままコンクリート型手摺り２の内側面に沿うように水平に延びて、図４に示すようにコンクリート型手摺り２の内側面下端部に取付座２０を介して取り付け固定されている。
【００１５】
そして、上部側のガイドレール１２は、図３及び図４に示すように、金属柵型手摺り１とコンクリート型手摺り２に共通の手摺り笠木８ａの内側面側に一体に形成されている。なお、手摺り笠木８ａをコンクリート型手摺り２の上端部に被嵌するにあたっては、図３に示すような手摺り笠木８ａの内部突条壁８ｏを切除するとよい。
【００１６】
なお、この実施形態では、上部側ガイドレール１２を、例えばアルミ押出形材によって手摺り笠木８ａと一体に形成しているが、この上部側ガイドレール１２を単独に形成して、手摺り笠木８ａにビスなどにより取り付け固定するようにしてもよい。各ガイドレール１１，１２の長さ範囲は、各階のベランダに設けられて各戸を仕切る両パーティション３，３間に制限されている。
【００１７】
上記のように手摺り１，２の内側面の下部側と上部側とに並設した上下両ガイドレール１１，１２には、手摺り１，２とベランダスラブ４の天井部４ｂとの間の開口部１０を部分的に遮蔽する遮蔽手段１３を有する可動枠体１４に設けられた複数のローラー１５（駒片）が転動自在に嵌合支持されるようになっている。各ガイドレール１１，１２はリップ付き溝形に形成されている。
【００１８】
可動枠体１４は、図２の(a) ，(b) に示すように、左右２本の立枠１６，１６と、両立枠１６，１６の上端部どうしをつなぐ上部横枠１７と、両立枠１６，１６の下端部どうしをつなぐ下部横枠１８と、両立枠１６，１６の中間部どうしをつなぐ中間部横枠１９とからなるもので、左右立枠１６，１６と上部上部横枠１７と中間部横枠１９との間に、遮蔽手段１３が設けられ、そして各立枠１６の下端部とその上方所要部とにローラー１５（駒片）が軸着されている。
【００１９】
この遮蔽手段１３は、図２の(a) ，(b) に示すように、左右の立枠１６，１６間にルーバー２１を上下方向一定ピッチで一定の傾斜角度に横架してなる固定ルーバー面格子からなるもので、外部からの視線を遮蔽し、直射日光を遮断することができながら、通風を可能としている。なお、この実施形態では、各ルーバー２１が水平に位置する横格子であるが、各ルーバー２１が垂直に位置する縦格子としてもよい。
【００２０】
上記のように手摺り１，２とベランダスラブ４の天井部４ｂとの間の開口部１０を部分的に遮蔽する遮蔽手段１３を備えた可動枠体１４は、左右立枠１６，１６の下端部とその上方所要部に軸着された４個のローラー１５を手摺り１，２側の上下ガイドレール１１，１２に転動自在に嵌合支持させることにより、これらのガイドレール１１，１２に沿って自由に移動させることができる。
【００２１】
この実施形態では、図１の(a) に示すように、各戸内のベランダの手摺り１，２には、遮蔽手段１３を備えた２つの可動枠体１４が、手摺り１，２側の上下ガイドレール１１，１２に嵌合支持された夫々４個のローラー１５を介して両ガイドレール１１，１２に沿って移動できるようになっている。なお、可動枠体１４は、各ベランダに対し二つ以上設けてもよい。
【００２２】
従って、このようなベランダの遮蔽装置によれば、両方の可動枠体１４，１４を図１の(a) の実線図示のように１戸の住居のベランダの両端側に位置させておいて、この位置で両可動枠体１４，１４をガイドレール１１，１２に施錠してロックさせるようにすれば、両可動枠体１４，１４に夫々装備された遮蔽手段１３，１３としてのルーバー面格子が、両隣のベランダとの仕切りである両パーティション３，３に近接状態で固定されるから、隣のベランダからの他人の侵入を防止できる。
【００２３】
また、西向きのベランダでは、午後になると、西日の照りつけが厳しく、夏場はかなり暑くなるが、その西日が入る方向に応じて、可動枠体１４を移動させることにより、この可動枠体１４と共に移動する遮蔽手段１３のルーバー面格子によって日差しを有効に遮断することができる。また、この遮蔽手段１３のルーバー面格子によって、外部からの視線を遮蔽するので、遮蔽手段１３の内側が他人の視野に入らずにプライバシーを十分に保護することができる。
【００２４】
また図１の(a) の仮想線図示のように、必要に応じて両可動枠体１４，１４をベランダの中央部側に引き寄せることで、両可動枠体１４，１４上の遮蔽手段１３，１３によってベランダ中央部側における日差しの遮断、外部からの視線の遮蔽等を行うことができる。いずれにしても、可動枠体１４は、各戸のベランダ内に位置する手摺り１，２に設けられたガイドレール１１，１２に沿って自由に移動させることができ、遮蔽手段１３を任意の位置で使用することができる。
【００２５】
この実施形態では、遮蔽手段１３として固定ルーバー面格子を例示したが、各ルーバーが開閉する可動ルーバー面格子を採用してもよい。また、遮蔽手段１３としては、開閉式のカーテンやブラインドあるいはシャッターを使用することができる他に、遮光性のプラスチック板やガラス板などを使用できるし、またパンチングプレート、ネット状部材などを使用することができる。
【００２６】
また、可動枠体１４に設けられる駒片として、この実施形態では、ガイドレール１１，１２に対し転動自在に嵌合支持されるローラー１５を使用しているが、回転はしないが、ガイドレール１１，１２に対し摺動自在に嵌合支持される、例えば耐摩耗性に優れた合成樹脂製の摺動片を用いてもよい。
【００２７】
また実施形態においては、可動枠体１４が左右２本の立枠１６，１６からなるもので、両立枠１６，１６間の上部側に遮蔽手段１３を装備し、各立枠１６の下端部とその上方所要部とに駒片１５を取り付けているから、可動枠体１４が最小部品点数により形成でき、構造が簡単となって安価に製作できると共に、可動枠体１４をガイドレール１１，１２に沿って安定良く軽快に移動させることができる。
【００２８】
また、以上の実施形態では、マンションやアパートのベランダの手摺りに設置した遮蔽装置について説明したが、マンションやアパートの外廊下の手摺りにもベランダの場合と同様に設置できるものである。
【図面の簡単な説明】
【００２９】
【図１】(a) は本発明に係る遮蔽装置を設置したベランダの下段側手摺りと上階側手摺りとを屋外側から見た状態の正面図、(b) は(a) のＸ−Ｘ線断面図、(c) は(a) のＹ−Ｙ線断面図である。
【図２】(a) は遮蔽手段を備えた可動枠体の正面図、(b) は(a) のＺ−Ｚ線断面図である。
【図３】図１の(b) の拡大詳細図である。
【図４】図１の(a) の拡大詳細図である。
【符号の説明】
【００３０】
１，２          ベランダの手摺り
４              ベランダスラブ
４ａ            ベランダの床部
４ｂ            ベランダの天井部
１１，１２      ガイドレール
１３            遮蔽手段
１４            可動枠体
１５            ローラー（駒片）
１６            可動枠体の立枠
【図１】
2010071032.tif 000003
【図２】
2010071032.tif 000004
【図３】
2010071032.tif 000005
【図４】
2010071032.tif 000006